(57)【要約】【課題】冷却器への着霜量が少なくなる周囲環境の場合に無駄な除霜運転を回避して省エネ化を図ることができる冷凍機システムを提供する。【解決手段】冷却器５の除霜を制御する制御手段（集中管理コントローラ２０）を備える。制御手段（集中管理コントローラ２０）は、所定の周期若しくは所定時刻又は所定の運転時間に基づいて冷却器５の除霜運転を行う。制御手段（集中管理コントローラ２０）は、冷却装置８が設置された店舗内の絶対湿度に基づき、当該絶対湿度が低い状況では除霜運転を実行しない。【選択図】図１
2011169591.tif 000002
【特許請求の範囲】
【請求項１】
店舗内の空気を除湿する除湿装置及び
冷却器と熱交換した冷気により庫内を冷却する冷却装置からなる冷凍機システムにおいて、
前記除湿装置は、前記店舗内の温度及び湿度から該店舗内の絶対湿度を算出し、
前記冷却装置は、前記冷却器の除霜を制御する制御手段を備え、
該制御手段は、所定の周期若しくは所定時刻又は所定の運転時間に基づいて前記冷却器の除霜運転を行うと共に、前記除湿装置によって算出された前記店舗内の絶対湿度に基づき、当該絶対湿度が低い状況では前記除霜運転を実行しないことを特徴とする冷却装置の除霜制御装置を有する冷凍機システム。
【請求項２】
前記制御手段は、前記店舗内の絶対湿度の基準値を有し、該基準値と現在の前記除湿装置によって算出された前記店舗内の絶対湿度との差に基づいて実行しない除霜運転の回数を決定することを特徴とする冷却装置の除霜制御装置を有する請求項１に記載の冷凍機システム。
【請求項３】
前記制御手段は、前記店舗内の絶対湿度の基準値を有し、前回の除霜運転からの前記除湿装置によって算出された前記店舗内の絶対湿度の平均値が前記基準値以下の場合、次回の除霜運転を実行しないことを特徴とする冷却装置の除霜制御装置を有する請求項１に記載の冷凍機システム。
【請求項４】
前記制御手段は、前記店舗内の絶対湿度の基準値を有し、前回の除霜運転からの前記除湿装置によって算出された前記店舗内の絶対湿度の最高値が前記基準値以下の場合、次回の除霜運転を実行しないことを特徴とする冷却装置の除霜制御装置を有する請求項１に記載の冷凍機システム。
【発明の詳細な説明】
【技術分野】
【０００１】
本発明は、店舗内の空気を除湿する除湿装置及び冷却器と熱交換した冷気により庫内を冷却して成る冷却装置からなる冷凍機システムに関するものである。
【背景技術】
【０００２】
従来より、スーパーマーケットやコンビニエンスストアなどの店舗に設置されたオープンタイプ或いはクローズドタイプのショーケースでは、ショーケースの冷気によって周辺の空気中の水分が冷却され、それがショーケースに取り込まれることで冷却部分や冷却器などに霜が着き易い。特に、商品陳列用の開口が常時開放されたオープンショーケースでは、通常運転時にも、周辺空気との温度差や湿度差により、少なからず周辺の空気を開口からショーケースの庫内に巻き込んでいた。
【０００３】
また、ショーケースの庫内に陳列された商品の取り出しなどが行われると、冷気に外乱が加わって、開口からの周辺空気の巻き込み量が増大してしまう。このため、空気中の水分はショーケース内部や、ショーケースの冷却器への着霜という形で現れる。冷却器に着霜が生じると、冷却負荷が増大してしまうため、定期的に冷却装置の運転を停止して冷却器の除霜運転を行っていた（特許文献１参照）。
【０００４】
係るスーパーマーケットやコンビニエンスストアなどの店舗には多数のショーケースが設置されており、これらのショーケースには数台に一台の冷却装置が設けられていた。各ショーケースに設けられた冷却器は、予め決められた時間に冷却装置の運転を停止し、陳列商品によって１日４回〜１日６回の除霜運転が実行されていた。これにより、冷却装置に対して冷却負荷の軽減が図られていた。
【先行技術文献】
【特許文献】
【０００５】
【特許文献１】特開２００４−２５８７２５号公報
【発明の概要】
【発明が解決しようとする課題】
【０００６】
しかしながら、スーパーマーケットやコンビニエンスストアなどの店舗に、多数設置されたショーケースの冷却器は決められた時間に除霜運転が実行されていたが、冬季などの乾燥した時期には周囲環境によって着霜量が少ない冷却器もあった。このような状況にあっても、従来では決められた時間に複数台の冷却器が除霜運転されていた。このため、着霜量が少なく除霜運転が不要な冷却器でも無駄な除霜運転が実行されていたという問題があった。
【０００７】
本発明は、係る従来技術の課題を解決するために成されたものであり、冷却器への着霜量が少なくなる周囲環境の場合に無駄な除霜運転を回避して省エネ化を図ることができる冷却装置の除霜制御装置を有する冷凍機システムを提供することを目的とする。
【課題を解決するための手段】
【０００８】
即ち、本発明の冷凍機システムを構成する除霜制御装置は、冷却器と熱交換した冷気により庫内を冷却して成る冷却装置において、冷却器の除霜を制御する制御手段を備え、この制御手段は、所定の周期若しくは所定時刻又は所定の運転時間に基づいて冷却器の除霜運転を行うと共に、冷却装置が設置された店舗内の絶対湿度に基づき、当該絶対湿度が低い状況では除霜運転を実行しないことを特徴とする。
【０００９】
また、請求項２の発明の冷凍機システムを構成する除霜制御装置は、上記において、制御手段は、店舗内の絶対湿度の基準値を有し、この基準値と現在の絶対湿度との差に基づいて実行しない除霜運転の回数を決定することを特徴とする。
【００１０】
また、請求項３の発明の冷凍機システムを構成する除霜制御装置は、請求項１において、制御手段は、店舗内の絶対湿度の基準値を有し、前回の除霜運転からの絶対湿度の平均値が基準値以下の場合、次回の除霜運転を実行しないことを特徴とする。
【００１１】
また、請求項４の発明の冷凍機システムを構成する除霜制御装置は、請求項１において、制御手段は、店舗内の絶対湿度の基準値を有し、前回の除霜運転からの絶対湿度の最高値が基準値以下の場合、次回の除霜運転を実行しないことを特徴とする。
【発明の効果】
【００１２】
本発明では冷却器と熱交換した冷気により庫内を冷却して成る冷却装置において、冷却器の除霜を制御する制御手段を備え、この制御手段は、所定の周期若しくは所定時刻又は所定の運転時間に基づいて冷却器の除霜運転を行うと共に、冷却装置が設置された店舗内の絶対湿度に基づき、当該絶対湿度が低い状況では除霜運転を実行しないようにしたので、冷却器への着霜量が少なくなる周囲環境では、無駄な除霜運転を回避して省エネ化を図り、冷却能力の改善も図ることができるようになる。さらに、店舗内の空気を除湿する除湿装置により店舗内の絶対湿度を算出するため、冷却装置に湿度センサー等を設けることなく、本効果を得ることができる。
【００１３】
請求項２の発明では上記に加えて、制御手段は、店舗内の絶対湿度の基準値を有し、この基準値と現在の絶対湿度との差に基づいて実行しない除霜運転の回数を決定するようにしたので、現在の絶対湿度が基準値より大きく下回っている場合には実行しない除霜運転の回数を増やすことで、省エネと冷却能力の改善効果をより一層向上させることが可能となる。
【００１４】
請求項３の発明では請求項１の発明に加えて、制御手段は、店舗内の絶対湿度の基準値を有し、前回の除霜運転からの絶対湿度の平均値が基準値以下の場合、次回の除霜運転を実行しないようにしたので、前回の除霜運転からの周囲環境の状況を的確に判断して次回の除霜運転の要否を決定することができるようになり、省エネ化及び冷却能力の改善と、確実な除霜制御の双方を達成できるようになる。
【００１５】
請求項４の発明では請求項１の発明に加えて、制御手段は、店舗内の絶対湿度の基準値を有し、前回の除霜運転からの絶対湿度の最高値が基準値以下の場合、次回の除霜運転を実行しないようにしたので、前回の除霜運転からの周囲環境の状況を的確に判断して次回の除霜運転の要否を決定することができるようになり、省エネ化及び冷却能力の改善と、確実な除霜制御の双方を達成できるようになる。
【図面の簡単な説明】
【００１６】
【図１】本発明の一実施例を示す冷凍機システムを構成する除霜制御装置の構成図である（実施例１）。
【図２】本発明の冷凍機システムを構成するとともに店舗に設置する除湿装置の内部構成図である。
【図３】温度と相対湿度から、相対湿度１００％のときの絶対湿度の近似曲線を示す図である。
【図４】本発明の冷凍機システムを構成する除霜制御装置の動作を示すフローチャートである。
【発明を実施するための形態】
【００１７】
本発明は、冷却器への着霜量が少なくなる周囲環境で無駄な除霜運転を回避して省エネ化を図ることを主な特徴とする。冷却器への着霜量が少なくなる周囲環境で無駄な除霜運転を回避するという目的を、周囲環境の絶対湿度に基づいて絶対湿度が低い状況では除霜運転を実行しないようにすることにより実現した。
【実施例１】
【００１８】
以下、本発明の実施の形態を図面に基づいて説明する。図１は本発明の一実施例を示す除霜制御装置１を有する冷凍機システムの構成図、図２は本発明の冷凍機システムを構成する除霜制御装置１を構成するとともに店舗２に設置する除湿装置の内部構成図をそれぞれ示している。
【００１９】
本実施形態における除霜制御装置１は、スーパーマーケットやコンビニエンスストアなどの店舗２に、多数設置されたオープンタイプ或いはクローズドタイプのショーケース３に設けられた冷却器５の除霜制御を行うものである。スーパーマーケットやコンビニエンスストアなどの店舗２には、図１に示すように店舗２内に設置された各ショーケース３の冷却器５は、店舗２の図示しない機械室或いは屋外に設置された冷却装置８と配管接続されており、この冷却装置８から冷媒の供給をうけて冷却能力を発揮する。尚、図１では複数のショーケース３を４台図示しているがショーケース３は２〜３台、或いは、４台以上であっても差し支えない。
【００２０】
該除霜制御装置１は、制御上のマスター機となる集中管理コントローラ２０と、この集中管理コントローラ２０に対して、信号線２１、２２により接続された制御上の子機となる複数の端末コントローラ２４とから構成されている。集中管理コントローラ２０及び除霜制御装置１は、例えば汎用マイクロコンピューターにて構成されると共に種々のデータを記憶可能な記憶部（メモリ）やタイマなどを備えている。尚、２５は、端末コントローラであり集中管理コントローラ２０に接続されている。
【００２１】
集中管理コントローラ２０と、各ショーケース３（端末コントローラ２４）にはそれぞれＩＤが割り当てられており、集中管理コントローラ２０は、このＩＤを用いてデータ（後述する基準値や、ショーケース３の庫内４の温度設定値、除霜制御のデータなど）の送受信を行う。該集中管理コントローラ２０は、それぞれの端末コントローラ２４からショーケース３の庫内４温度や湿度、運転状況のデータ、除霜の状況、警報データなどを収集して、当該各端末コントローラ２４に接続された機器を集中管理し制御する。
【００２２】
一方、店舗２には図２に示すような除湿装置が設けられている。この除湿装置に設けられた供給空気ダクト１０は、当該除湿装置に設けられた内気吐出部１４と店舗２内とを連通して配管接続されている。この供給空気ダクト１０は、図示しないが途中で分岐して、ショーケース３近傍に設けられた吹出口にて、店舗２内に連通すると共に、店舗２の天井に設けられた天井吹出口にて店舗２内に連通して配管接続されている。
【００２３】
また、戻り空気ダクト１１は、前記除湿装置に設けられた内気吸込部１３（図２に図示）と、店舗２の天井部とを連通するように配管接続されており、天井部に形成された複数の天井吸込口（図示せず）にて店舗２内に開口している。
【００２４】
ここで、除湿装置を詳しく説明する。除湿装置は、デシカント空調機と称されるものであり、水分吸着素子３１を備える回転型除湿装置３２と、内気を吸引する送風ファン３３と、外気を吸引する再生ファン３４と、再生ヒーター（電気ヒーター）３６などから構成されている。送風ファン３３は運転されて前記内気吸込部１３から戻り空気ダクト１１内の空気を吸引し、水分吸着素子３１の後述する水分吸着領域を通過させた後、前記内気吐出部１４より供給空気ダクト１０に吐出する。
【００２５】
３７は外気取込装置であり、送風ファン３３の吸込側に連通している。この外気取込装置３７は常には閉じているが、開放することにより、送風ファン３３によって外気を取り込むことができるように構成されている。また、３８、３９は内気吸込部１３に設けられた室内温度センサー、室内湿度センサーであり、それぞれ戻り空気ダクト１１から吸引される店舗２内の、空気の温度と湿度を検出するものである。該外気取込装置３７は、顧客が多くなる時間帯に開放して換気を行い、外気温が高い場合や逆に低い場合には閉じる制御を実行する。また、温度上昇した外気による加熱と水の凝縮熱によって水分吸着素子３１が温度上昇し、それによって水分吸着領域を通過した空気の温度は約＋４０℃程に昇温される。
【００２６】
前記再生ファン３４は、運転されて再生空気取入部４１から外気を吸引し、再生ヒーター３６、水分吸着素子３１の後述する水分放出領域とに順次通過させた後、再生空気排気部４２から外部に排出する。４３、４４は外気温度センサー、外気湿度センサーであり、それぞれ外気の温度と湿度を検出するものである。
【００２７】
４６は、集中管理コントローラ２０内に設けられている除湿装置の制御装置で、この制御装置４６は、前記室内温度センサー３８、室内湿度センサー３９、外気温度センサー４３、外気湿度センサー４４などの出力に基づいて送風ファン３３、再生ファン３４、再生ヒーター３６、後述する電動機などの制御を行うものである。
【００２８】
また、集中管理コントローラ２０には図示しない電源スイッチ、温度や湿度などの入力操作を行う操作スイッチ２６、及び、店舗２内の温度を検出する室内温度センサー３８、店舗２内の湿度を検出する室内湿度センサー３９などが接続されている。そして、集中管理コントローラ２０は、室内温度センサー３８、及び、室内湿度センサー３９が検出した店舗２内の温度と湿度に基づいて所定の設定湿度となるように除湿装置を制御する。尚、店舗２内は、集中管理コントローラ２０に接続された冷暖房装置（図示せず）により冷暖房が行われる。
【００２９】
前記水分吸着素子３１は周囲に空気通路が設けられた所定厚さの円板形状を呈しており、電動機（図示せず）によって例えば１分間に約半回転するように駆動される。この水分吸着素子３１は、その中を空気が通過すると空気中に含まれている水分を吸着できるように構成されている。そして、再生ヒーター３６にて加熱された空気が水分吸着素子３１を通り抜けることにより、水分吸着素子３１に吸着した水分を、加熱された空気に吸収させる受け渡し機能を備えている。
【００３０】
電動機により回転される水分吸着素子３１は、図示しないが周囲に設けられた空気通路は、領域仕切板にて仕切られて第１の空気通路と第２の空気通路とが構成されている。そして、第１の空気通路内に位置する水分吸着素子３１の部分を前記水分吸着領域、第２の空気通路に位置する水分吸着素子３１の部分を前記水分放出領域とされる。
【００３１】
係る水分吸着素子３１の一部分に着目すると、電動機により回転されることにより、上記一部分は水分吸着領域から水分放出領域に移行し、再び水分吸着領域に戻るサイクルが繰り返されるものである。尚、再生ファン３４で再生空気取入部４１から吸引された外気（再生空気）は再生ヒーター３６にて加熱された後、第２の空気通路から水分吸着素子３１の水分放出領域を通り抜けた後、再生空気排気部４２から外部に排出されるように構成されている。
【００３２】
このように構成された除湿装置が運転されると、送風ファン３３、再生ファン３４、及び、水分吸着素子３１が駆動され、更に、再生ヒーター３６を発熱させる。送風ファン３３の運転によって店舗２の天井部の空気は天井部に設けられた吸込口（図示せず）から戻り空気ダクト１１内に入り、内気吸込部１３から除湿装置内に吸引される。吸引された空気は送風ファン３３、第１の空気通路、水分吸着素子３１の水分吸着領域を経て内気吐出部１４から供給空気ダクト１０内に吐出される。
【００３３】
このとき、空気中に含まれた水分は水分吸着領域となっている部分の水分吸着素子３１に吸着され、電動機による回転によって水分放出領域に搬送されることになる。また、供給空気ダクト１０内に吐出された除湿後の乾燥空気は、分岐した供給空気ダクト１０を介して吹出口からショーケース３近傍の店舗２の床部に吹き出される（帰還）。また、一部の空気は、図示しない室内熱交換器と熱交換した後、吹出口から店舗２の天井部に吹き出され（帰還）、空調が行われる。
【００３４】
そして、除湿装置は再生ファン３４の運転によって再生空気取入部４１から外気（再生空気）が吸引される。吸引された空気は、再生ヒーター３６にて約＋１４０℃に加熱された後、更に、水分吸着素子３１の水分放出領域を通り抜け、再生ファン３４を経て再生空気排気部４２から外部に排出される。このとき、外気は水分吸着領域で水分吸着素子３１に吸着された水分を、水分吸着素子３１の水分放出領域にて受け取った後、外部に排出される。このような水分吸着と放出作用は水分吸着素子３１の回転によって連続的に達成される。
【００３５】
即ち、水分吸着領域で水分吸着素子３１に吸着された水分は、水分吸着素子３１の回転によって水分放出領域に搬送され、そこで、再生ヒーター３６により加熱された外気に吸収され、最終的に外部に排出される。これによって、供給空気ダクト１０を経て前述の如く店舗２内に吹き出される空気は除湿されるので、店舗２内は除湿され、湿度は低下若しくは湿度上昇が抑制されることになる。
【００３６】
係る除湿装置は、各センサー３８、３９、４３、４４の出力に基づき、各ファン３３、３４や再生ヒーター３６、水分吸着素子３１の電動機を制御し、店舗２内を設定湿度に維持する。即ち、除霜制御装置１は各センサー３８、３９の出力に基づき、店舗２内の湿度が設定より高い場合には再生ヒーター３６に通電し、低くなったら通電を停止することにより、店舗２内を設定の湿度に制御する。
【００３７】
このような除湿装置に設けられた室内湿度センサー３９は、相対湿度しか測れない。そこで、本発明では、室内温度センサー３８が検出した店舗２内の温度と、室内湿度センサー３９が検出した店舗２内の相対湿度から、近似曲線（図３）を用いて店舗２内の絶対湿度を算出し、この絶対湿度を基準にして冷却器５の除霜運転を行うように構成している。尚、図３では、相対湿度が１００％の時の温度と絶対湿度との関係を示している。また、センサー３８、３９は、除湿装置と除湿空調装置とで共用している。
【００３８】
即ち、温度と相対湿度から絶対湿度を算出する計算式は、近似曲線からＨA＝ＨR／１００｛０．０００４３６５ｘＴ3＋０．００１９６７ｘＴ2＋０．３３３７３ｘＴ＋３．６９８３｝（絶対湿度  ＨA［ｇ／ｋｇ］、温度Ｔ［℃］、相対湿度ＨR［％］で求めることができる。この計算式は、集中管理コントローラ２０（マイコン）のメモリに記憶され実行される。尚、温度と相対湿度と絶対湿度との関係を示す表については、従来より周知の表であるため詳細な説明を省略する。また、温度と相対湿度と絶対湿度と絶対湿度との関係を示す表のデータを、集中管理コントローラ２０（マイコン）のメモリに記憶しておき、室内温度センサー３８が検出した店舗２の温度と、室内湿度センサー３９が検出した店舗２内の相対湿度を基に、メモリに記憶した表のデータから絶対湿度を把握するようにしても差し支えない。
【００３９】
そして、除霜制御装置１は、上記計算式に基づいて集中管理コントローラ２０が算出した絶対湿度からショーケース３の冷却器５の除霜運転を行う。除霜運転は、所定の周期若しくは所定時刻又は所定の運転時間に基づいて実施される。具体的には、温度＋２８℃・相対湿度４０％に相当する絶対湿度を基準値として設定した場合、例えばその上の温度＋２８℃・相対湿度４５％に相当する絶対湿度を基準上限値、その下の＋２８℃・相対湿度３５％に相当する絶対湿度を基準下限値として決定する。即ち、基準値＋２８℃・４０％に対して基準上限値、基準下限値を＋２８℃・４０％±５％に設定している。
【００４０】
そして、この基準値（＋２８℃・４５％に相当する絶対湿度）が操作スイッチ２６にて入力されると、基準値及び基準上限値と基準下限値が集中管理コントローラ２０のメモリに記憶される。係る従来の冷却器５の除霜は、冷却器５の冷却運転を停止することにより実行されるため、ショーケース３の庫内４温度が上昇して陳列商品に悪影響を及ぼしてしまう。また、除霜を行わないと冷却器５の着霜量が増して冷却能力が低下してしまうため、定期的に冷却器５の除霜を行う必要があった。
【００４１】
そこで、集中管理コントローラ２０には、例えば零時、４時、８時、１２時、１６時、２０時、そして再び零時の一日６回ショーケース３の冷却器５の除霜を実行するようにプログラムされている。即ち、集中管理コントローラ２０（マイコン）のメモリには各ショーケース３の冷却器５に対して、一日６回の霜取りスケジュールプログラムが記憶されている。この霜取りスケジュールは、店舗２内のお客が比較的少ない時間帯が選ばれて設定されるので、霜取り時刻は零時、４時、８時、１２時、１６時、２０時に限られるものでなく、他の時刻であっても差し支えない。
【００４２】
また、集中管理コントローラ２０には、受信した零時〜１２時直前までの絶対湿度の平均値、又は、それらのうちの最高値と、基準値（基準下限値）とを比較し、絶対湿度が基準値（基準下限値）より低かった場合には次回（１２時）の除霜を実行せずに１６時に除霜が実行されるようにプログラムされている。
【００４３】
そして、集中管理コントローラ２０は、端末コントローラ２４に信号を送信し、所定の周期若しくは所定時刻又は所定の運転時間に基づいて冷却器５の除霜運転を実行する。詳しくは、端末コントローラ２４は、前記計算式に基づいて集中管理コントローラ２０が算出した絶対湿度から、所定の周期若しくは所定時刻又は所定の運転時間にショーケース３の冷却器５の除霜運転を行う。
【００４４】
次に、除霜制御装置１の動作を図４のフローチャートを参照して詳しく説明する。尚、集中管理コントローラ２０（マイコン）のメモリには各ショーケース３の霜取りスケジュールと設定情報が記憶されており、ショーケース３は既に冷却運転が実行されているものとする。また、１日６回行うショーケース３の霜取りは、集中管理コントローラ２０から霜取り命令が除霜制御装置１に送信され実行される。ステップＳ１で、霜取りスケジュールに変更がある場合、ステップＳ２に進み除霜制御装置１は、集中管理コントローラ２０から霜取りスケジュール及びショーケース３の冷却温度などの設定情報を受信してステップＳ３に進む。
【００４５】
そこで、集中管理コントローラ２０は、除霜制御装置１から１日に３回以上の霜取りが実行されるショーケース３があり、１２時〜１８時に霜取りスケジュールが存在するショーケース３がある場合、ステップＳ４に進み、ＩＤからそのショーケース３を設定する。ステップＳ５で、集中管理コントローラ２０は霜取り対象ショーケース３が存在する場合、ステップＳ６に進み、霜取り制御の判定時刻に到達していればステップＳ７に進む。
【００４６】
そこで、集中管理コントローラ２０は、零時〜１１時５９分、或いは、前回の霜取りからの店舗２内の絶対湿度が基準値（温度＋２８℃、相対湿度４５％）より低い場合、そのショーケース３の周囲環境は冷却器５への着霜量が少ない環境と判断してステップＳ８に進む。集中管理コントローラ２０は、各ショーケース３から霜取り削除対象を選定し、選定したＩＤを有する除霜制御装置１にその霜取り削除対象データを送信し、零時〜１１時５９分を過ぎた最初の霜取り（１２時００分の霜取り）を削除する。尚、１２時００分以降の霜取りは実行される。
【００４７】
ステップＳ９で、その日の霜取りが終了し、次の日の時刻（零時）に到達している場合、詳しくは霜取り時刻を経過したらステップＳ１０に進む。集中管理コントローラ２０は、霜取り削除対象データを受信したショーケース３のＩＤのメモリに記憶された湿度条件、判定結果、削除対象霜取り等を初期化して終了する。
【００４８】
一方、前記ステップＳ９で、その日の霜取りが終了し、次の日の時刻（零時）に到達していない場合終了する。また、ステップＳ７で、集中管理コントローラ２０は、零時〜１１時５９分、或いは、前回の霜取りからの店舗２内の温度が＋２８℃、相対湿度が４５％の時の絶対湿度が基準値（基準下限値）より低い（絶対湿度未満）場合、そのショーケース３の周囲環境は冷却器５への着霜量が多い環境と判断してステップＳ９に進んで以降を実行する。
【００４９】
また、ステップＳ６で、集中管理コントローラ２０は霜取り対象ショーケース３があり、それらが霜取り制御の判定時刻に到達していない場合、ステップＳ１１に進み、時刻が１２時〜１８時の場合はステップＳ１２に進む。集中管理コントローラ２０は、削除対象霜取りのショーケース３がある場合、ステップＳ１３に進み、そのショーケース３が削除対象霜取り時刻に到達している場合、ステップＳ１４に進む。そこで、集中管理コントローラ２０は、削除対象霜取りを設定してステップＳ９に進み、以降を実行する。
【００５０】
また、集中管理コントローラ２０は、ステップＳ１１で時刻が１２時〜１８時以外の時刻の場合ステップＳ９に進んで以降を実行し、ステップＳ１２で集中管理コントローラ２０は、削除対象霜取りがない場合ステップＳ９に進んで以降を実行する。更に、ステップＳ１３で、集中管理コントローラ２０は削除対象霜取り時刻に達していない場合ステップＳ９に進んで以降を実行する。
【００５１】
また、前記ステップＳ１で、ショーケース３の霜取りスケジュールに変更がない場合、及び、ステップＳ３で、除霜制御装置１から１日に３回以上の霜取りスケジュールが存在し、１２時〜１８時に霜取りスケジュールが存在するショーケース３がない場合ステップＳ５に進み、以降を実行する。
【００５２】
即ち、ステップＳ１〜Ｓ４では、霜取りスケジュール及びショーケース３の設定や種別を読み取り、霜取りの削除対象があるかを判定する。ステップＳ５〜Ｓ８、及び、ステップＳ１１〜Ｓ１４では、判定時刻（１２時００分）に霜取り削除条件を満たした対象のショーケース３があるか判定した後、対象ショーケース３の１１時５９分以降の、最初の霜取り（１２時００分）を削除する。また、ステップＳ９〜Ｓ１０では、日付変更時に前日の判定結果を初期化して、次の日の霜取りスケジュールを再設定する。
【００５３】
このように、集中管理コントローラ２０は、所定の周期若しくは所定時刻又は所定の運転時間に基づいて冷却器５の除霜運転を行うと共に、冷却装置８が設置された周囲環境の絶対湿度に基づいて、絶対湿度が低い状況（店舗２内の温度が＋２８℃、相対湿度が４５％の時の絶対湿度が基準値（基準下限値）より低い絶対湿度未満の場合）では除霜運転の実行を中止している。これにより、冷却器５への着霜量が少なくなる周囲環境では、冷却器５の無駄な除霜運転を回避することができる。
【実施例２】
【００５４】
次に、本発明の冷凍機システムを構成する除霜制御装置１の他の動作を説明する。尚、本発明の他の実施例の除霜制御装置１は、前述の実施例と同じ構成を有し、集中管理コントローラ２０の除霜制御のみ異なる。以下、異なる部分について説明する。集中管理コントローラ２０は、周囲環境の絶対湿度の基準値（基準上限値及び基準下限値を含む）を有しており、この基準値（基準下限値）と現在の絶対湿度との差に基づいて、除霜運転の回数を決定するプログラムを有している。
【００５５】
即ち、集中管理コントローラ２０は、周囲環境の絶対湿度の基準値（基準下限値）と、現在の絶対湿度との差に基づいて除霜運転の回数を決定するようにしているので、現在の絶対湿度が基準値（基準下限値）より大きく下回っている場合には、霜取りスケジュールで決められた所定時刻の、冷却器５の除霜運転を中止することができる。尚、冷却器５の除霜運転の回数を減らす時刻は、実施例１と同様の時刻としている。これにより、霜取りスケジュールで決められた冷却器５の除霜運転回数を減らすことができ、省エネと冷却能力の改善を図ることが可能となる。
【実施例３】
【００５６】
次に、本発明の冷凍機システムを構成する除霜制御装置１の他の動作を説明する。尚、本発明の他の実施例の除霜制御装置１は、前述の実施例と略同じ構成を有し、集中管理コントローラ２０の除霜制御のみ異なる。以下、異なる部分について説明する。集中管理コントローラ２０は、周囲環境の絶対湿度の基準値（基準上限値及び基準下限値を含む）を有しており、冷却器５の前回の除霜運転からの絶対湿度の平均値又は最高値が基準値（基準下限値）以下の場合、次回の除霜運転を実行しないプログラムを有し、このプログラムは集中管理コントローラ２０のマイコンのメモリに記憶格納され実行される。これにより、前回の除霜運転から冷却器５の周囲環境の状況を的確に判断して次回の除霜運転の要否を決定することができる。従って、除霜制御装置１にて省エネ化及び冷却能力の改善と、確実な除霜制御の双方を達成することができる。
【００５７】
尚、実施例では、除湿装置をデシカント空調機で説明したが、除湿装置はデシカント空調機に限らず、フロンガス、或いは、ノンフロンガス（二酸化炭素ガス、或いは、窒素ガス等）を冷媒として用いた冷媒サイクルの空調機にも本発明は有効である。
【００５８】
また、本発明は上記各実施例のみに限定されるものではなく、この発明の趣旨を逸脱しない範囲で他の様々な変更を行っても本発明は有効である。
【符号の説明】
【００５９】
１  除霜制御装置
２  店舗
３  ショーケース
４  庫内
５  冷却器
２０  集中管理コントローラ
２６  操作スイッチ
３８  室内温度センサー
３９  室内湿度センサー
【図１】
2011169591.tif 000003
【図２】
2011169591.tif 000004
【図３】
2011169591.tif 000005
【図４】
2011169591.tif 000006